(57)【要約】【課題】    本発明は、最適な位置にファンフォールド用紙をセットできるプリンタを提供することを課題とする。【解決手段】ファンフォールドラベル７５を載置し、プリンタ本体の下部の収納位置からプリンタ本体外の延出位置に摺動可能に設けられた載置部５３と、載置部５３のファンフォールドラベル７５から引き出されるラベル連続体７６をプリンタ本体２内へ通紙する通紙部と、ラベル連続体７６を搬送するとともに印字を施す印字部１３と、印字部１３により印字されたラベル連続体７６を排出する排出口７と、を有し、載置部５３が延出位置にあるとき、ファンフォールドラベル７５を載置部５３にセットする際の基準となる段差Ａが底面板５１と載置部５３に形成されることを特徴とする。【選択図】  図７
2007237565.tif 000002
【特許請求の範囲】
【請求項１】
ファンフォールド紙を載置する載置部と、
載置部のファンフォールド紙をプリンタ本体内へ通紙する通紙部と、
ファンフォールド紙を引き出して搬送するとともに印字を施す印字部と、
前記印字部により印字されたファンフォールド紙を排出する排出口と、
を有することを特徴とするプリンタ。
【請求項２】
前記載置部は、プリンタ本体の底面板の下部に収納され、この収納位置からプリンタ本体外の延出位置に摺動可能に設けられ、前記載置部が延出位置にあるとき、ファンフォールド用紙を載置部にセットする際の基準となる段差が底面板と載置部に形成されることを特徴とする請求項１記載のプリンタ。
【請求項３】
ファンフォールド紙を載置する載置面およびこの載置面のファンフォールド紙の一方側面をガイドするガイド面および前記載置面に対して摺動可能に設けられファンフォールド紙の他方側面をガイドするファンフォールドガイドを有する装填部と、
ファンフォールド紙を引き出して搬送するとともに印字を施す印字部と、
前記印字部により印字されたファンフォールド紙を排出する排出口と、を有し、
前記装填部はプリンタ本体の底面板に対して閉鎖位置および開放位置に回動可能に設けられ、前記装填部が開放位置にあるとき、ファンフォールド用紙を載置面にセットする際の基準となる段差が底面板と載置面に形成されることを特徴とするプリンタ。
【発明の詳細な説明】
【技術分野】
【０００１】
本発明は、所定の情報を印字するプリンタに係り、特にファンフォールド紙を装填し、印字可能なプリンタに関する。
【背景技術】
【０００２】
プリンタで所定の情報を印字するための印字媒体として図１０に示すように、表面に剥離剤が塗布された長尺状の台紙７２と、この台紙７２の上層に複数仮着したラベル７３とを有するラベル連続体７１をロール状に巻回したロール状ラベル７０が用いられている。また、用途に応じて図１１に示すように、長尺状の台紙７２の上層に複数仮着したラベル７３と、ラベル７３と次のラベル７３の間に位置する台紙７２に穿設されたミシン目７４を有するラベル連続体７６のミシン目７４からＺ状に交互に折り曲げて積層したファンフォールドラベル７５が用いられている。
これらロール状ラベルおよびファンフォールドラベルのいずれにも印字搬送可能なプリンタとして、プリンタの本体内に設けた供給部にロール状ラベルを装填可能とし、かつ、プリンタ本体の外側の背面に配置したファンフォールドラベルを引き出して通紙する通紙口を介してプリンタ本体内に供給されるように構成されている（例えば、特許文献１）。
【０００３】
【特許文献１】特開平５−３０１４０３号公報
【発明の開示】
【発明が解決しようとする課題】
【０００４】
しかしながら、背景技術のプリンタにおいてファンフォールドラベルを直に床に載置しているため、ファンフォールドラベルを載置する位置が任意で基準が存在しないためファンフォールドラベルを適切な位置に載置することが困難であり、搬送時に蛇行が生じ印字ずれや搬送ジャムなどの恐れがあった。また、ファンフォールドラベルは、折り畳まれた状態から引き出されて真っ直ぐな状態で搬送されるため、折り畳まれた状態から真っ直ぐな状態に変わるときにファンフォールドラベルがバタつき、積載されたファンフォールドラベルのバランスが保てなくなり倒れ、上述した印字ずれや搬送ジャムを引き起こす恐れがあった。
本発明は、斯かる問題点に鑑みてなされたものであり、ファンフォールド紙を適正な位置に載置し、載置したファンフォールド用紙が搬送時に倒れずに保持することができ、ファンフォールド用紙搬送時に蛇行が生じることなく印字ずれや搬送ジャムを防止可能とするプリンタを提供することを目的とする。  
【課題を解決するための手段】
【０００５】
本発明に係るプリンタは、ファンフォールド紙を載置する載置部と、載置部のファンフォールド紙をプリンタ本体内へ通紙する通紙部と、ファンフォールド紙を引き出して搬送するとともに印字を施す印字部と、前記印字部により印字されたファンフォールド紙を排出する排出口と、を有することを特徴とする。
また、前記載置部は、プリンタ本体の底面板の下部に収納され、この収納位置からプリンタ本体外の延出位置に摺動可能に設けられ、前記載置部が延出位置にあるとき、ファンフォールド用紙を載置部にセットする際の基準となる段差が底面板と載置部に形成されることを特徴とする。
また、ファンフォールド紙を載置する載置面およびこの載置面のファンフォールド紙の一方側面をガイドするガイド面および前記載置面に対して摺動可能に設けられファンフォールド紙の他方側面をガイドするファンフォールドガイドを有する装填部と、ファンフォールド紙を引き出して搬送するとともに印字を施す印字部と、前記印字部により印字されたファンフォールド紙を排出する排出口と、を有し、前記装填部はプリンタ本体の底面板に対して閉鎖位置および開放位置に回動可能に設けられ、前記装填部が開放位置にあるとき、ファンフォールド用紙を載置部にセットする際の基準となる段差が底面板と装填部に形成されることを特徴とする。
【発明の効果】
【０００６】
載置部をプリンタ本体の底面板の下部に収納する収納位置からプリンタ本体外の延出位置に摺動可能に設け、載置部が延出位置にあるとき底面板と載置部に段差が形成されるのでこの段差をファンフォールド用紙の前端に当接させる事で最適な位置にファンフォールド用紙をセットすることができる。
また、載置面とガイド面とファンフォールドガイドを有する装填部をプリンタ本体の底面板に対して閉鎖位置および開放位置に回動可能に設け、装填部が開放位置にあるとき底面板と載置面に段差が形成されるのでこの段差をファンフォールド用紙の前端に当接させる事で最適な位置にファンフォールド用紙をセットすることができ、かつ、ガイド面およびファンフォールドガイドによりファンフォールド用紙の両側面をガイドすることで最適なセット位置を保持する事ができる。
【発明を実施するための最良の形態】
【０００７】
以下、図面を参照しながら発明を実施するための最良の形態について説明する。
【０００８】
図１は、本発明の実施の形態に係るプリンタの斜視図、図２は、カバーを開けた状態のプリンタの斜視図、図３はプリンタの側断面図を示す。
プリンタ１は、主としてプリンタ本体２とカバー３を有している。プリンタ本体２の前面板４８には印字情報や設定の入力を行う入力部４と、入力部４で入力された情報等を表示する表示部５を有している。
プリンタ本体２は、前面板４８と、背面板５０と、底面板５１、側面板４９とから構成され、側面板４９の上端に設けられたヒンジ６を介してプリンタ本体２に回動（開閉）可能にカバー３が保持されている。カバー３をプリンタ本体２の上方に向かって回動することで図２に示すようにカバー３を開放し、ロール状ラベル７０をプリンタ本体２側へ装填することができる。
【０００９】
カバー３を開けた状態のプリンタ本体２内部には、図２または図３に示すように主として供給部１０と、ガイド部１１と、センサ１２と、印字部１３が設けられている。供給部１０は、側面板４９に植設されロール状ラベル７０を回転可能に保持する供給軸１４と、供給軸１４に設けられた長孔１５に摺動可能に設けられ、供給軸１４に保持されたロール状ラベル７０の側面をガイドする供給ガイド１６を有する。ガイド部１１は、供給部１０から印字部１３までの用紙経路中に設けられ、ラベル連続体７１の表面側をガイドして弛みを防止する用紙表面ガイド１７と、ラベル連続体７１の幅方向をガイドする用紙幅ガイド１８と、ラベル連続体７１のばたつきを抑える搬送補助ローラ１９とを有する。用紙表面ガイド１７は、ラベル連続体７１の表面に接する面を円弧形状に形成され、ラベル７３が引っかかって台紙７２から剥がれることなくガイド可能としている。用紙幅ガイド１８は、用紙経路中を搬送されるラベル連続体７１（台紙７２）の裏面側をガイドする基台２０に設けられた図示しない長孔に対してラベル連続体７１の幅方向にスライド可能に設けられ、用紙経路中のラベル連続体７１の側面をガイドし、蛇行を防止する。
【００１０】
図４は、ガイド部１１近傍を説明するための概略斜視図であり、図４に示すように搬送補助ローラ１９は、第１の搬送補助ローラ１９ａと、この第１の搬送補助ローラ１９ａに対向する位置に設けられた第２の搬送補助ローラ１９ｂを有し、台紙７２側に当接する第１の搬送補助ローラ１９ａを基台２０に設け、ラベル７３側に当接する第２の搬送補助ローラ１９ｂをプリンタ本体２に回動可能な紙押さえ部２１に設けている。紙押さえ部２１は、第２の搬送補助ローラ１９ｂを第１の搬送補助ローラ１９ａに当接する位置と離間する位置に回動可能とし、第２の搬送補助ローラ１９ｂを第１の搬送補助ローラ１９ａから離間する位置に位置させてラベル連続体７１を通紙し、通紙後に紙押さえ部２１を第１の搬送補助ローラ１９ａ側に回動させ、ラベル連続体７１を挟持する。また、紙押さえ部２１の一端にはロック部材２２が設けられており、基台２０に設けられたロック係合部９にロック部材２２を係合させることで、紙押さえ部２１を基台２０に固定する。搬送補助ローラ１９は、それぞれモータ等の駆動手段を有さず、後述するプラテンローラ２４の回転駆動にともない搬送されるラベル連続体７１に沿って回転する。ラベル連続体７１の表面及び裏面を搬送補助ローラ１９で挟持しながら搬送することにより、搬送時のラベル連続体７１のバタつきを抑え、搬送蛇行やセンサ１２での誤検出を防止する。
【００１１】
センサ１２は、発光部および受光部を有し、発光部から出射した光をラベル連続体７１の裏面に設けられた検出マーク（図示せず）に反射した光を受光部にて受光し、この光の強弱によりラベル７３の位置を検出する。尚、センサ１２は、発光部と受光部を対向配置し、ラベル連続体７１を介して受光する光の強弱でラベル７３の位置を検出する透過型のセンサであっても良い。
【００１２】
印字部１３は、サーマルヘッド２３と、図示しないモータ２５に接続されたプラテンローラ２４を有し、プラテンローラ２４を回転駆動させることによってラベル連続体７１を搬送し、サーマルヘッド２３の発熱作用によってラベル７３に印字が施される。ラベル７３の表面には、感熱発色層が設けられており、サーマルヘッド２３の発熱作用により感熱発色層を発色させることで所定の文字や画像などを印字する。尚、ラベル７３に感熱発色層を設けずに、インクリボンを供給巻取りするユニットをプリンタ本体２に設け、インクリボンをラベル７３に転写させて印字するようにしても良い。また、印字されたラベル７３をラベル連続体７１としてプリンタ本体２外へ排出する排出口７が設けられ、供給部１０のある搬送方向上流側から排出口７に向かう搬送方向下流側へラベル連続体７１が搬送され、排出される。
【００１３】
プリンタ１は、上記各部を制御する制御部を備え、図５に示す制御部３０について説明する。制御部３０は、所定の制御プログラムを記憶するＲＯＭ３１と、ＲＯＭ３１に記憶されている制御プログラムに従って動作し、各部を制御するＣＰＵ３２と、ＣＰＵ３２が動作する上で必要となる各種データを記憶するＲＡＭ３３と、モータ２５にパルス信号を供給し、プラテンローラ２４によるラベル連続体７１の搬送を制御する搬送制御部３４と、ＣＰＵ３２から供給される印字すべき文字、図形や価格情報などの印字データに対応する制御信号を生成してサーマルヘッド２３に供給し、印字動作を行わせる印字制御部３５と、ＣＰＵ３２の制御下においてセンサ１２の発光部を制御し、ラベル連続体７１に光を出射させるとともに、受光部から出力される電気信号を受け取り、デジタルのデータに変換してＣＰＵ３２に供給するラベル検出部３６と、計時処理を行い、現在の日時を示す現在日時情報を出力するカレンダＩＣ３７と、入力部４から入力された設定内容などプリンタ１の電源をオフにしても保持しておきたい情報を記憶するフラッシュＲＯＭ３８と、入力部４および表示部５を接続するインタフェース３９と、図示しないホストコンピュータなどの外部機器を接続する外部インタフェース４０を有している。
これら各部は、データバス４１を介してＣＰＵ３２に接続され、ＣＰＵ３２の管理下において入力部４から入力された印字データまたはホストコンピュータから送信された印字データに基づきラベル連続体７１に印字が施される。
【００１４】
プリンタ１は、上述したロール状ラベル７０だけでなく、ファンフォールドラベル７５も使用可能であり、ファンフォールドラベル７５をプリンタ１にセットするための構成について図６に基づき説明する。図６（ａ）は、通紙部５２を閉鎖し、かつ載置部５３を収納位置に収納した状態を示すプリンタ背面側からみた概略斜視図であり、図６（ｂ）は通紙部５２を開放し、かつ載置部５３を延出位置まで引き出した状態を示すプリンタ背面側からみた概略斜視図および一部拡大図である。図６（ａ）に示すようにプリンタ１の供給部１０の更に搬送方向上流（背面）側には、背面板５０に設けられた外部インタフェース４０と、プリンタ本体２外に配置するファンフォールドラベル７５から引き出されるラベル連続体７６を通紙する通紙部５２と、プリンタ本体２の底面に位置する底面板５１の下部の収納位置に収納され、この収納位置からプリンタ本体２外の延出位置に摺動可能に設けられ、ファンフォールドラベル７５を載置する載置部５３が設けられている。
【００１５】
通紙部５２は、底面板５１および背面板５０に対してそれぞれ回動可能に設けられた第１の開閉扉５４と第２の開閉扉５５から成り、図示しない回動軸を中心として図６（ｂ）に示すようにそれぞれ離間する方向に９０度回動し、図示しないロック機構により９０度回動した状態で固定される。また、第２の開閉扉５５が９０度回動した位置にあるとき、側面板４９と第２の開閉扉５５は同一平面となるよう構成されている。
【００１６】
載置部５３は、底面板５１の下部に収納され、この収納位置からプリンタ本体外へ向かう延出位置へ向かう方向に摺動可能に設けられている。また、載置部５３を収納する底面板５１は、床から所定の隙間を開けて設けられており、その隙間に手を入れて載置部５３を把持し、図６（ａ）に示す収納位置から図６（ｂ）に示す延出位置に引き出すことで、載置部５３上にファンフォールドラベル７５を載置可能としている。また、図６（ｂ）の円で囲む一部拡大部分に示すように、載置部５３が延出位置にあるとき底面板５１と載置部５３には段差Ａが形成され（図７参照）、この段差Ａがファンフォールドラベル７５をセットする際の基準位置となる。すなわち、この底面板５１の搬送方向上流（背面）側の端面５１ａにファンフォールドラベル７５前面を合わせることでファンフォールドラベル７５を適正な位置にセット可能としている。また、ファンフォールドラベル７５を使用しない場合は、図６（ａ）に示すように第１の開閉扉５４と第２の開閉扉５５を閉鎖し、かつ、載置部５３を底面板５１の収納位置に向かって摺動させ、収納する。
【００１７】
図７は、プリンタ１にファンフォールドラベル７５をセットした状態を示す斜視図である。図７に示すように第１の開閉扉５４および第２の開閉扉５５を開放し、底面板５１から載置部５３を引き出し、載置部５３にファンフォールドラベル７５を載置する。このとき、ファンフォールドラベル７５の前面を底面板５１の端面５１ａに当接させ、かつ、ファンフォールドラベル７５の一方側面を第２開閉扉５５に当接させて用紙セットを行う。この位置がファンフォールドラベル７５の最適な基準位置となる。基準位置にファンフォールドラベル７５をセットした状態で、ラベル連続体７６を供給軸１４に向かって引き出し、供給軸１４の供給ガイド１６を摺動させ、ラベル連続体７６の端部をガイドする。以降、前述同様にラベル連続体７６を用紙表面ガイド１７、用紙幅ガイド１８、搬送補助ローラ１９、印字部１３にセットする。
【００１８】
以上のように構成したプリンタ１において、ファンフォールドラベル７５を搬送する際に蛇行が生じない最適な位置にセットできる。また、載置部５３に載置したファンフォールドラベル７５をプラテンローラ２４で搬送する際にラベル連続体７６がバタついてもファンフォールドラベル７５の前面を底面板５１の端面５１ａでガイドしているため、ファンフォールドラベル７５を搬送する際に搬送方向下流側に引張ったとしても載置部５３に載置したファンフォールドラベル７５のバランスを失い倒れることがないので、印字ずれや搬送ジャムを防止することができる。
【００１９】
上述した実施の形態におけるプリンタ１において、通紙部５２および載置部５３を別々の部材で構成したが、これらを一体構成としても良い。例えば図８は、本発明を実施するための第二の実施の形態によるプリンタ８０の背面側の斜視図であり、この図をもとに説明する。なお、上述した構成と同一の構成については同一の符号を付し、その説明を省略する。
【００２０】
図８（ａ）は、プリンタ８０の装填部８１が閉鎖位置にある状態を示し、図８（ｂ）はプリンタ８０の装填部８１が開放位置にある状態を示す概略斜視図である。
図８（ａ）に示すようにプリンタ８０の背面に位置する背面板８２には、外部インタフェース４０と、ファンフォールドラベル７５を装填する装填部８１が設けられている。装填部８１は、底面板５１に対して回動可能に設けられ、主としてファンフォールドラベル７５を載置する載置面８３と、載置面８３に植設され、ファンフォールドラベル７５の一側面をガイドする扇形状のガイド面８４を有する。装填部８１が開放位置にある状態において底面板５１が載置面８３よりも高い段差Ａ（図９参照）が形成されるように構成されており、この段差Ａがファンフォールドラベル７５をセットする際の基準位置となる。すなわち、底面板５１の下方側の位置に装填部８１を回動可能に保持する図示しない回動軸を設けている。
段差Ａにより底面板５１の搬送方向上流側の端面５１ａが表出し、この端面５１ａにファンフォールドラベル７５前面を合わせることで適正な位置にファンフォールドラベル７５をセット可能としている。ガイド面８４は、側面板８７に形成された収納部８８に収納可能に設けられ、装填部８１を閉鎖した状態および開放した状態のいずれにおいてもガイド面８４の表面と側面板８８の表面が同一平面に位置する。また、載置面８３の搬送方向上流側であるプリンタ外側方向に装填部８１を回動する取っ手として、長方形形状の把持部８９が設けられ、装填部８１を開放した状態において載置面８３が床に対して水平面となるように把持部８９の厚みが調整されている。
【００２１】
収納部８８は、側面板８７の一部をガイド面８４より僅かに広い扇形状に切り欠いて形成され、装填部８１が閉鎖位置にあるとき収納部８８に略隙間なく収まるようにガイド面８４が収納される。また、図８（ｂ）に示すように載置面８３には、長孔８５と、この長孔８５に摺動可能に設けられファンフォールドラベル７５の他側面をガイドするファンフォールドガイド８６が設けられ、摺動することであらゆる幅のファンフォールドラベル７５の側面をガイド可能となっている。
【００２２】
以上のように構成した装填部８１にファンフォールドラベル７５を装填する方法について図８および図９に基づき説明する。図９は、装填部にファンフォールドラベルをセットした状態を示すプリンタ背面側からみた概略斜視図である。まず、把持部８９を把持し、背面板８２から離れる方向に装填部８１を回動させ、図８（ｂ）に示す開放状態とする。次に、載置面８３にファンフォールドラベル７５を載置し、ファンフォールドラベル７５の一方側面をガイド面８４に当接させ、かつ、図９の円で囲む一部拡大部分に示すようにファンフォールドラベル７５の前面を底面板５１の端面５１ａに当接させる。次いで、ファンフォールドガイド８６をファンフォールドラベル７５の方向に向かって長孔８５を摺動し、ファンフォールドラベル７５の他方側面をガイドする。この位置がファンフォールドラベル７５の最適なセット基準位置となり、ファンフォールドラベル７５の前面を底面板５１の端面５１ａで、一方側面をガイド面８４で、他方側面をファンフォールドガイド８６に当接させることで位置決めを行う。この基準位置にファンフォールドラベル７５をセットした状態で、ラベル連続体７６を供給軸１４に向かって引き出し、供給軸１４の供給ガイド１６を摺動させ、ラベル連続体７６の端部をガイドする。以降、前述同様にラベル連続体７６を用紙表面ガイド１７、用紙幅ガイド１８、搬送補助ローラ１９、印字部１３にセットする。
【００２３】
以上、第二の実施の形態によるプリンタ８０において、常にファンフォールドラベル７５を搬送する際に蛇行が生じない最適な位置にセットできる。また、装填部８１に載置したファンフォールドラベル７５からプラテンローラ２４で搬送する際にラベル連続体７６がバタついてもファンフォールドラベル７５の前面を底面板５１の端面５１ａでガイドしているため、載置部５３に載置したファンフォールドラベル７５がバランスを失い倒れることがないので、印字ずれや搬送ジャムを防止することができる。更に、ファンフォールドラベル７５の一方側面をガイド面８４で、ファンフォールドラベル７５の他方側面をファンフォールドガイド８６でそれぞれガイドすることによって、ファンフォールドラベル７５の両側面をガイドし、最適なセット位置からのずれを防止することができる。
【００２４】
実施の形態において印字する長尺紙としてロール状ラベル７０およびファンフォールドラベル７５を例に説明したが、粘着剤および台紙を有さないロール紙、ファンフォールド紙であっても良い。
【００２５】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。
【図面の簡単な説明】
【００２６】
【図１】本発明の実施の形態に係るプリンタを示す斜視図。
【図２】カバーを開けた状態を示すプリンタの斜視図。
【図３】図１におけるプリンタの断面図。
【図４】ガイド部近傍を説明するための概略斜視図。
【図５】プリンタの制御ブロック図。
【図６】通紙部および載置部の構成を説明するための概略斜視図。
【図７】プリンタにファンフォールドラベルをセットした状態を示す斜視図。
【図８】装填部の構成を説明するための斜視図。
【図９】装填部にファンフォールドラベルをセットした状態を示す斜視図。
【図１０】ロール状ラベルの斜視図
【図１１】ファンフォールドラベルの斜視図
【符号の説明】
【００２７】
１    プリンタ
２    プリンタ本体
３    カバー
４    入力部
５    表示部
６    ヒンジ
７    排出口
９    ロック係合部
１０  供給部
１１  ガイド部
１２  センサ
１３  印字部
１４  供給軸
１５  長孔
１６  供給ガイド
１７  用紙表面ガイド
１８  用紙幅ガイド
１９  搬送補助ローラ
１９ａ  第１の搬送補助ローラ
１９ｂ  第２の搬送補助ローラ
２０  基台
２１  紙押さえ部
２２  ロック部材
２３  サーマルヘッド
２４  プラテンローラ
２５  モータ
３０  制御部
３１  ＲＯＭ
３２  ＣＰＵ
３３  ＲＡＭ
３４  搬送制御部
３５  印字制御部
３６  ラベル検出部
３７  カレンダＩＣ
３８  フラッシュＲＯＭ
３９  インタフェース
４０  外部インタフェース
４１  データバス
４８  前面板
４９  側面板
５０  背面板
５１  底面板
５１ａ端面
５２  通紙部
５３  載置部
５４  第１の開閉扉
５５  第２の開閉扉
７０  ロール状ラベル
７１  ラベル連続体
７２  台紙
７３  ラベル
７４  ミシン目
７５  ファンフォールドラベル
７６  ラベル連続体
８０  プリンタ
８１  装填部
８２  背面板
８３  載置面
８４  ガイド面
８５  長孔
８６  ファンフォールドガイド
８７  側面板
８８  収納部
８９  把持部
Ａ    段差
【図１】
2007237565.tif 000003
【図２】
2007237565.tif 000004
【図３】
2007237565.tif 000005
【図４】
2007237565.tif 000006
【図５】
2007237565.tif 000007
【図６】
2007237565.tif 000008
【図７】
2007237565.tif 000009
【図８】
2007237565.tif 000010
【図９】
2007237565.tif 000011
【図１０】
2007237565.tif 000012
【図１１】
2007237565.tif 000013